(57)【要約】【課題】電力を使用せず導光板にデザインした発光表示が可能で、発光機構がシンプルかつ低コストで、また、蓄光部材を広範囲に形成する必要がなく、蓄光部材スペースが小さくでき、照明機構全体の省スペース化を目的とし、全体として構成を簡単にし、製造コストを下げる蓄光照明機構を提供する。【解決手段】光を照射する光源と、前記光を導く導光板と、前記導光板の一方の面から漏れ出た光を表示する光表示部と、前記光源から照射された光を蓄積して発光可能な高輝度蓄光材からなる蓄光部材とを備える。光源は、導光板の厚さ方向側面に配置される。蓄光部材は、導光板を水平方向に挟んで光源の対極に配置され又は光源の近辺に配置される。【選択図】図１
2013142766.tif 000002
【特許請求の範囲】
【請求項１】
光を照射する光源と、前記光を導く導光板と、前記導光板の一方の面から漏れ出た光を表示する光表示部と、前記光源から照射された光を蓄積して発光可能な高輝度蓄光材からなる蓄光部材とを備え、
前記光源は、前記導光板の厚さ方向側面に配置され、
前記蓄光部材は、前記導光板を水平方向に挟んで前記光源の対極に配置され、又は前記光源の近辺に配置されたことを特徴とする蓄光照明機構。
【発明の詳細な説明】
【技術分野】
【０００１】
本発明は、蓄光照明機構に関する。本発明の蓄光照明機構は例えば、イルミネーション装置に用いられる。
【背景技術】
【０００２】
従来、電子機器に内蔵されて、電子機器の所定部分を照光する照明機構が知られている。この種の照明機構は、光源であるＬＥＤと、ＬＥＤから出射された光を所要の照光部まで導く導光板とから主に構成される。
【０００３】
この種の照明機構において、モバイル装置を主とした用途として、蓄光部材を利用して電力の非使用時に光を励起させることで省電力を図る構成が提案・採用されている。
例えば、特許文献１は、照明機能付携帯機器に関する発明であって、表示装置を照明する為の照明装置の消費電力を抑えるようにした照明機能付携帯機器を提供することを目的とするものであり、特許文献２は、液晶表示装置に関する発明であって、液晶パネルの表示に十分な照明光を得ると共に、バックライト用電源の消費電力が少ない液晶表示装置を提供することを目的とするものであり、特許文献３は、スイッチ装置に関する発明であって、電子機器の電源切断後も操作キーを照明することができるスイッチ装置を提供することを目的とするものであり、特許文献４は、面光源ユニット及び液晶表示装置に関する発明であって、導光板の構造を工夫し、光反射面の輝度分布を均一にすること、及び、導光板からの漏れ光や外乱光を蛍光に変換して暗所でも表示確認可能とすることを目的とするものである。
【０００４】
ただし、これらの従来技術は、蓄光部材を光表示部以外を含む広範囲に配置しており、特に小型化が要求されるモバイル装置用途においてスペースが嵩張る要因となっていた。
【０００５】
また、導光板に蓄光材を添加させる構成も提案されている。
例えば、特許文献５は、導光板、キーモジュール又はこれらを用いた電子機器に関する発明であり、蓄光材を用いて入力キーの輝度を向上させることができると共に、光源の発光強度を低下させることができ、よって省エネを実現できる導光板等を提供するものであり、特許文献６は、照明装置及び電子機器に関する発明であり、導光体が、蛍光体又は蓄光剤が含有された材料で形成されているので、導光した光によって蛍光体又は蓄光剤で発生する光が新たなイルミネーション効果等を生じさせるものである。
【０００６】
しかし、高透過率が要求される導光板に蓄光材を添加すると、導光板の透過率が低下する懸念があり、またこの様な部材に部分的に蓄光材を添加することは、加工上大変困難で、高コストとなる。
【先行技術文献】
【特許文献】
【０００７】
【特許文献１】特許３４２７７９７号公報
【特許文献２】特開２００１−３５０１４３号公報
【特許文献３】特開２０１０−０４０３８５号公報
【特許文献４】特開平７−２８１０３２号公報
【特許文献５】特開２０１０−２０５６６８号公報
【特許文献６】特開２０１０−１７７１１４号公報
【発明の概要】
【発明が解決しようとする課題】
【０００８】
本発明は以上の点に鑑みて、電力を使用せず導光板にデザインした発光表示が可能で、発光機構がシンプルかつ低コストで、また、蓄光部材を広範囲に形成する必要がなく、蓄光部材スペースが小さくでき、照明機構全体の省スペース化を目的とし、全体として構成を簡単にし、製造コストを下げることを目的としている。
【課題を解決するための手段】
【０００９】
本発明に係る蓄光照明機構は、前述した技術的課題を解決するために以下のように構成されている。すなわち、本発明の請求項１による蓄光照明機構は、光を照射する光源と、前記光を導く導光板と、前記導光板の一方の面から漏れ出た光を表示する光表示部と、前記光源から照射された光を蓄積して発光可能な高輝度蓄光材からなる蓄光部材とを備え、前記光源は、前記導光板の厚さ方向側面に配置され、前記蓄光部材は、前記導光板を水平方向に挟んで前記光源の対極に配置され、又は前記光源の近辺に配置されたことを特徴とする。
【発明の効果】
【００１０】
請求項１の発明に係るに蓄光照明機構よれば、電力を使用せず導光板にデザインした発光表示が可能となる。発光機構がシンプルかつ低コストになる。また、蓄光部材を光表示部以外を含む広範囲に形成する必要がなく、蓄光部材スペースが小さくでき、照明機構全体の省スペース化が図れる。
【図面の簡単な説明】
【００１１】
【図１】（ａ）は本発明の第一実施例に係る蓄光照明機構の電力使用時の正面図、（ｂ）は電力不使用時の同正面図
【図２】（ａ）は本発明の第一実施例に係る蓄光照明機構の電力使用時の平面図、（ｂ）は電力不使用時の同平面図
【図３】（ａ）は本発明の第二実施例に係る蓄光照明機構の電力使用時の正面図、（ｂ）は電力不使用時の同正面図
【発明を実施するための形態】
【００１２】
つぎに、本発明を実施するための形態を図面にしたがって説明する。
【００１３】
第一実施形態・・・
図１及び図２に示すように、本実施形態の蓄光照明機構は、光を照射する光源１と、照射された光を導く導光板２と、導光板２の一方の面（図では上面）から漏れ出た光を表示する光表示部６と、光源１から照射された光を蓄積して発光可能な高輝度蓄光材からなる蓄光部材５とを備えている。
【００１４】
光源１は、ＬＥＤを用い、電力使用時の光源として使用し、導光板２の厚さ方向一方の側面（図では左方）に配置されている。
【００１５】
導光板２は、所定の厚みを備える平面四角形の板状体であり、筐体４の上に配置され、導光板２の上に保護層３が形成されている。また、光源１及び蓄光部材５の高さは共にこの板状体の厚みの範囲内に配置されている。
【００１６】
蓄光部材５は、導光板２を水平方向に挟んで光源１と対極（図では右方）に向かい合わせで配置されている。蓄光部材５の材料としては、高輝度蓄光材を使用し、前記高輝度蓄光材は、Ｄ６５常用光源（照度２００ｌｘ）２０分照射後において、２０分後の残光輝度２００ｍｃｄ／ｍ２以上を有する。残光輝度の目安としての、２００ｍｃｄ／ｍ２は暗中で文字が読める程度である。
【００１７】
光表示部６は、光を入射した際に所定のデザインが発光するように、導光板２に凹凸を施して設ける。
【００１８】
次に、照明機構を説明する。
電力使用時には、図２（ａ）に示すように、光源１の発光によって、所定のデザインが導光板２上に発光されるとともに、光表示部６から発光されなかった導光板を反射してきた発光線は蓄光部材５に蓄光される。そして、電力不使用時には、図２（ｂ）に示すように、電力使用時に蓄光した蓄光部材５の発光によって、所定のデザインが導光板２上に発光される。
【００１９】
なお、上記構成は、例示であり、これに限られるものではない。
【００２０】
上記構成を備えた蓄光照明機構は、以下の作用効果を奏する。
【００２１】
光源１と導光板２を水平方向に挟んだ対極に高輝度蓄光材からなる蓄光部材５を配置することで、蓄光部材５を光表示部６以外を含む広範囲に形成する必要がなく、蓄光部材５のスペースが小さくでき、照明機構全体の省スペース化が図れる。
【００２２】
また、以上より、発光機構がシンプルかつ低コストになる。
【００２３】
第二実施形態・・・
図３に示すように、本実施形態の蓄光照明機構は、光を照射する光源１と、照射された光を導く導光板２と、導光板２の一方の面（図では上面）から漏れ出た光を表示する光表示部６と、光源１から照射された光を蓄積して発光可能な高輝度蓄光材からなる蓄光部材５とを備えている。
【００２４】
光源１は、ＬＥＤを用い、電力使用時の光源として使用し、導光板２の厚さ方向一方の側面（図では左方）に配置されている。
【００２５】
導光板２は、所定の厚みを備える平面四角形の板状体であり、筐体４の上に配置され、導光板２の上に保護層３が形成されている。
【００２６】
蓄光部材５は、光源１の近辺（近傍）に光源１と並んで同じ向きに配置され、光源１と同様、導光板２の厚さ方向一方の側面位置に配置されている。尚、蓄光部材５の配置としては、光源１から照射された光の一部を直接受け取ることができる位置に配置されていれば良い。蓄光部材５の材料としては、高輝度蓄光材を使用し、前記高輝度蓄光材は、Ｄ６５常用光源（照度２００ｌｘ）２０分照射後において、２０分後の残光輝度２００ｍｃｄ／ｍ２以上を有する。残光輝度の目安としての、２００ｍｃｄ／ｍ２は暗中で文字が読める程度である。
【００２７】
光表示部６は、光を入射した際に所定のデザインが発光するように、導光板２に凹凸を施して設ける。
【００２８】
次に、照明機構を説明する。
電力使用時には、図３（ａ）に示すように、光源１の発光によって、所定のデザインが導光板２上に発光されるとともに、蓄光部材５に直接蓄光される。電力不使用時には、図３（ｂ）に示すように、電力使用時に蓄光した蓄光部材５の発光によって、所定のデザインが導光板２上に発光される。
【００２９】
なお、上記構成は、例示であり、これに限られるものではない。
【００３０】
上記構成を備えた蓄光照明機構は、以下の作用効果を奏する。
【００３１】
光源１の近辺に高輝度蓄光材からなる蓄光部材５を配置することで、蓄光部材５を光表示部以外を含む広範囲に形成する必要がなく、蓄光部材５のスペースが小さくでき、照明機構全体の省スペース化が図れる。
【００３２】
また、以上より、発光機構がシンプルかつ低コストになる。
【符号の説明】
【００３３】
１  光源
２  導光板
３  保護層
４  筐体
５  蓄光部材
６  光表示部
【図１】
2013142766.tif 000003
【図２】
2013142766.tif 000004
【図３】
2013142766.tif 000005